(57)【特許請求の範囲】
【請求項１】
配信されてくる有料の情報を利用者に提供するとともにその利用料が前記情報の受信後に期間をおいて決済される情報提供サービスを実行し得るようにされている情報提供端末であって、
情報通信機能を持つ情報通信網を介して情報センタにアクセス可能な第１の通信手段と、
前記情報通信網と前記第１の通信手段を介して前記情報センタより受信した情報提供サービスに用いる情報を記憶する情報記憶手段と、
前記情報記憶手段に記憶された情報を用いて情報の提供を実行する情報提供実行手段と、
前記第１の通信手段と前記情報通信網を介して前記情報センタに情報配信要求信号を送信する情報配信要求手段と、
課金機能を備える課金通信網を介して前記課金センタにアクセス可能な第２の通信手段と、
前記第２の通信手段と前記課金通信網を介して前記課金センタに課金要求信号を送信する課金処理要求手段と、
各種指示を入力するための指示入力手段と、
該指示入力手段を介して前記情報配信要求手段による情報配信要求信号送信の実行開始が指示された場合に、実際に情報配信要求信号送信の実行を開始する前に、当該情報配信に関する料金徴収規定の内容を表示手段に表示させる表示制御手段と、
前記表示手段に料金徴収規定内容が表示されている状態で、前記指示入力手段を介して所定の有料確認指示が入力された場合には、前記情報配信要求手段による情報配信要求信号の送信を実行させる情報配信要求制御手段と
を備えたことを特徴とする情報提供端末。
【請求項２】
請求項１に記載の情報提供端末において、
前記第１の通信手段は、前記第２の通信手段の接続対象である課金通信網とは異なる通信網である情報通信網に対する接続手段であることを特徴とする情報提供端末。
【請求項３】
請求項１又は２に記載の情報提供端末において、
前記表示制御手段は、前記情報提供サービスあるいは情報配信に関する料金徴収規定の内容に加えて、料金徴収を伴う前記情報提供端末の利用に関する規定の内容をも前記表示手段に表示可能とされていることを特徴とする情報提供端末。
【発明の詳細な説明】
【０００１】
【産業上の利用分野】
本発明は、内部に蓄積した情報を用いて、あるいは情報を蓄積している情報センタから情報通信網を介して情報の配信を受けて利用者に情報提供サービスを実行し得るようにされている、特に、ビデオテックス等の課金通信網を利用した情報料課金システムに使用する情報提供端末に関する。
【０００２】
【従来の技術および発明が解決しようとする課題】
従来より、例えばカラオケボックスや飲食店等においてカラオケ装置が設置されたり、ゲームセンターやショッピングセンター等の中にゲーム装置が設置されており、これらの情報提供装置における提供料は、個々の設置場所において回収していた。
【０００３】
従来のカラオケ装置としては、例えばカラオケ曲の情報を記憶させた媒体をセットし、その曲情報を用いてカラオケ演奏を行なうスタンドアロンタイプのものがあった。この場合は、カラオケ曲情報を記憶した媒体を、例えばカラオケ装置の所有者が自ら買いに出かけたり、あるいはカラオケ装置の販売者がその所有者のところまで媒体を届けたりしていた。
【０００４】
その後、カラオケ曲情報のデジタル信号を使用し、通信を利用したいわゆる「通信カラオケ」と呼ばれるオンラインタイプのカラオケシステムが生まれた。この場合には、センタ装置から各カラオケ装置に対して情報通信網を利用してカラオケ曲情報を送信するものであり、上述のような、カラオケ曲情報を記憶した媒体をカラオケ装置の所有者が自ら買いに出かけたり、あるいはカラオケ装置の販売者がその所有者のところまで媒体を届けたりする手間は省ける。特に、新曲が早期に取得できる等の利点がある。
【０００５】
但し、その料金回収に関しては基本的には上記スタンドアロンタイプのカラオケ装置と同様に、そのカラオケ装置の設置してある場所へ行き、カラオケ装置の所有者から徴収する等していた。このように、オンラインで送信することで曲の追加等は人の手を煩わせないですむが、料金回収についてはやはり、その装置の設置場所にまで出向いて行なう等、人が介入する必要があった。
【０００６】
そこで、本願出願人は、例えば特願平６−３１０６９１号の出願において、情報提供料を回収する課金機能を持つ課金通信網を利用することで、人の手を煩わすことなく情報の提供料金を回収できる技術を提案した。この技術であれば、上述したスタンドアロンタイプであれ通信タイプであれ、情報の提供料金の回収に関しては非常に便利になるのである。つまり、予め情報提供端末が記憶している情報に対して、課金処理を行なうとその情報が使用できるようにしたり、あるいは課金した後に外部の情報センタから情報を情報提供端末に送信する場合にでも、料金回収が非常に簡単になる。
【０００７】
このように課金通信網を用いた料金徴収には上述した基本的なメリットはあるが、以下のような課題が考えられる。
つまり、上述した課金〜料金徴収については、通常、情報提供料金を最終的に徴収する側（管理者と呼ぶ）の主導で行われるので、情報提供端末の所有者は特に課金だけを専用に実行させる入力キー等を操作することがない。例えばカラオケ曲データの配信を端末設置事業者等が入力キーを操作して要求する場合には、その要求に応じて曲データが配信され、その配信に伴って自動的に課金処理がなされるのである。
【０００８】
もちろん、情報提供端末を新規に設置する場合に、契約書あるいは説明書等を提示して、そのように曲データの要求をすれば自動的に課金される契約であることを端末設置事業者等に告知することはできる。しかしながら、上記契約書あるいは説明書等が添付されていても、端末設置事業者等がその内容をしっかり読まずに適当に操作してしまう場合もある。また、中古の情報提供端末を購入して使用した場合や、端末設置事業者から個人的に借り受けた場合等においては、上記契約書や説明書が確実にあるとは言えず、やはりその内容を知らずに適当に操作してしまう可能性がある。このような操作によって自動的に課金が実行されてしまった場合、操作者は、自分の行っている操作が将来料金徴収されるものであることを意識しないで行なうこととなるため、後日、実際に料金請求や料金徴収がなされて、その内容に不審感を抱いたり、あるいは自分の知らない間に勝手に課金されてしまったことに不満が残ったりするのである。
【０００９】
このように、直接金銭を支払ったり、あるいはクレジットカード等を使用したりすることがないので、上述したように料金徴収の面では便利となるが、それが逆に、料金支払者と徴収者との間でのトラブルの原因ともなるのである。
本発明は、上述した課題を解決するためになされたものであり、情報提供料の回収を人の手を介さず容易に実現できると共に、料金の支払を伴う処理の場合には、設置事業者等による確認があってはじめてその処理が実行されるようにし、料金徴収側と支払側とのトラブルを未然に防止するようにした情報料課金システムに用いて有効な情報提供端末を提供することを目的とする。
【００１０】
【課題を解決するための手段、作用および発明の効果】
上記目的を達成するためになされた請求項１に記載の発明は、配信されてくる有料の情報を利用者に提供するとともにその利用料が前記情報の受信後に期間をおいて決済される情報提供サービスを実行し得るようにされている情報提供端末であって、情報通信機能を持つ情報通信網を介して情報センタにアクセス可能な第１の通信手段と、前記情報通信網と前記第１の通信手段を介して前記情報センタより受信した情報提供サービスに用いる情報を記憶する情報記憶手段と、前記情報記憶手段に記憶された情報を用いて情報の提供を実行する情報提供実行手段と、前記第１の通信手段と前記情報通信網を介して前記情報センタに情報配信要求信号を送信する情報配信要求手段と、課金機能を備える課金通信網を介して前記課金センタにアクセス可能な第２の通信手段と、前記第２の通信手段と前記課金通信網を介して前記課金センタに課金要求信号を送信する課金処理要求手段と、各種指示を入力するための指示入力手段と、該指示入力手段を介して前記情報配信要求手段による情報配信要求信号送信の実行開始が指示された場合に、実際に情報配信要求信号送信の実行を開始する前に、当該情報配信に関する料金徴収規定の内容を表示手段に表示させる表示制御手段と、前記表示手段に料金徴収規定内容が表示されている状態で、前記指示入力手段を介して所定の有料確認指示が入力された場合には、前記情報配信要求手段による情報配信要求信号の送信を実行させる情報配信要求制御手段とを備えたことを特徴とする情報提供端末である。
【００１１】
この情報提供端末を用いる情報料課金システムによれば、情報提供端末に対して情報センタが情報を配信するときには、情報提供端末の課金処理要求手段が課金センタに対して課金の実行を要求するための課金要求信号を送信する。そして、その要求に応じて課金センタが課金通信網を介して課金情報を送信する。
【００１２】
課金通信網は、課金センタから情報提供端末へ送信される情報を識別して課金すべき金額を決定し、当該金額を情報の送信先である情報提供端末に対して課金するといった課金機能を有するもので、例えば、キャプテンシステムやダイヤルキューツーなどが知られている。本発明の情報提供端末を用いる情報料課金システムにおいては、課金通信網の課金機能により、上記有料情報の利用料金についての課金が実行されることとなる。本発明に係るシステムにおいて、課金センタから情報提供端末へ送信される課金情報は、上記課金機能による課金を実行させることができれば、どの様な内容であっても良い。即ち、本発明のシステムの場合、情報提供サービスに用いる情報自体は、情報提供端末の有する情報記憶手段に記憶されており、その記憶された情報の利用料金としての課金を実行するためだけに、課金通信網を利用しているのであって、課金情報自体は、内容的には意味が無い情報であっても構わないのである。もちろん、必要があれば何らかの内容を有する情報を課金情報としても構わないのは当然である。
【００１３】
課金情報の送信に際しては、現行のキャプテンシステムやダイヤルキューツーなどの課金通信網では、発呼側（電話をかけた側）に課金することとなっているので、情報提供端末側から課金センタをコールして接続することになるが、既に公衆電話回線においても実用化されているように、コレクトコール方式で着呼側（電話を受けた側）に課金するように課金通信網の構成を変更することは可能であり、情報提供端末側に課金される限りは、端末側が発呼するものであっても課金センタ側が発呼するものであっても構わない。
【００１４】
ここで、指示入力手段を介して情報配信要求手段による情報配信要求信号送信の実行開始が指示された場合、実際に情報配信要求信号送信の実行を開始する前に、表示制御手段が、その情報配信に関する料金徴収規定の内容を表示手段に表示させる。
【００１５】
そして、表示手段に料金徴収規定内容が表示されている状態で、指示入力手段を介して所定の有料確認指示が入力された場合には、情報配信要求制御手段が、情報配信要求手段による情報配信要求信号の送信を実行させる。
【００１６】
つまり、指示入力手段を介して情報配信要求信号送信の実行開始が指示された場合、そのまま情報配信要求信号の送信処理が自動的に開始されるのではなく、まず、情報提供サービスに関する料金徴収規定の内容を表示して、利用者にその内容を確認させるのである。これは、その情報提供サービスを実行すると所定の料金が徴収されるものであることを知らないで情報提供サービスが実行されてしまい、後日、実際に料金徴収されて、その徴収内容に不審感を抱いたり、あるいは自分の知らない間に勝手に課金されてしまったことに不満が残ったりするといったトラブルを防止するためである。
【００１７】
したがって、端末の利用者は、その料金徴収規定内容を確認し、例えば有料の情報提供サービスであってもその実行をさせたいと思えば所定の有料確認指示をする。その指示を受けてはじめて、実際に情報配信要求信号の送信を開始させ、また課金センタにへの課金要求信号の送信もさせるのである。このように、有料確認指示がないと情報提供サービスが実行されることがないので、上述したような、自分の知らない間に勝手に課金されてしまうといったことがなくなる。
【００１８】
【００１９】
ここで、さらに、請求項２に記載するように、
請求項１に記載の情報提供端末において、前記第１の通信手段は、前記第２の通信手段の接続対象である課金通信網とは異なる通信網である情報通信網に対する接続手段であることを特徴とする情報提供端末として構成してもよい。
【００２０】
【００２１】
【００２２】
【００２３】
なお、本発明の情報提供端末を用いる情報料課金システムにおいて、情報センタから情報提供端末へは、情報提供サービスの実行に必要な実体情報を配信する以外に、単なる暗号解読キーのようなものだけを配信し、情報提供サービスの実行に必要な実体情報については暗号化して情報提供端末が予め保有している構成なども考え得る。つまり、このシステムにおいて、情報提供端末における情報提供サービスの実行を可能とする情報はすべて、情報提供サービスに用いる情報に含まれている。
【００２４】
この様に、本発明の情報提供端末においては、直接金銭を支払ったりしないことが逆に、自分の行っている操作が将来料金徴収されるものであることを意識せず、後日、実際に料金徴収されて、その徴収内容に不審感を抱いたり、あるいは自分の知らない間に勝手に課金されてしまったことに不満が残るといった、料金支払者と徴収者との間でのトラブルの原因ともなる可能性もあるので、料金の支払を伴う処理の場合には、設置事業者等による確認があってはじめてその処理が実行されるようにし、料金徴収側と支払側とのトラブルを未然に防止することができる。なお、本発明の情報提供端末を用いる情報料課金システムにおいては、直接金銭を支払ったり、あるいはクレジットカード等を使用したりすることがないので、上述したように料金徴収の面では便利となる。
【００２５】
なお、上記情報料課金システムにおける表示制御手段は、請求項３に示すように、前記情報提供サービスあるいは情報配信に関する料金徴収規定の内容に加えて、料金徴収を伴う前記情報提供端末の利用に関する規定の内容をも前記表示手段に表示可能に構成とすることができる。
【００２６】
これは、情報提供端末においては、情報提供サービスあるいは情報配信に係る処理が有料であることが多いのであるが、それ以外にも、一般的な意味で、情報提供端末の利用においては料金徴収を伴うものも考えられるため、それについても表示して、端末設置事業者等に確認させることができる。
【００２７】
【００２８】
【００２９】
【００３０】
【００３１】
【００３２】
【００３３】
【実施例】
次に、本発明の実施例を図面に基づいて説明する。
まず、第１実施例について説明する。第１実施例は、本発明の情報提供端末を用いる情報料課金システムを通信カラオケシステムに適用した場合の例である。
【００３４】
本通信カラオケシステムは、図１，２に示すように、内蔵するハードディスク３３に記憶されたカラオケ曲データを用いて、カラオケ演奏を実行可能なカラオケ端末１０と、カラオケ端末１０とは課金機能を有する課金通信網５を介して接続され、カラオケ端末１０に対し課金情報を送信することにより、当該カラオケ端末１０に対する課金を実行可能な課金センタ１とを備え、更に、カラオケ端末１０には、カラオケ曲データを情報通信網７を介して配信する情報センタ３も接続されている。課金センタ１には、複数のカラオケ端末１０が、課金通信網５を介して接続されると共に、情報センタ３にも、同じく複数のカラオケ端末１０が、情報通信網７を介して接続されている。また、課金センタ１と情報センタ３との間についても公衆回線で接続されている。
【００３５】
上記構成の内、まず、カラオケ端末１０の構成について説明する。
カラオケ端末１０は、図２に示すように、数千曲程度のカラオケ曲データを記憶する情報記憶手段に相当するハードディスク３３を備え、また、カラオケ曲データ中の演奏情報から伴奏音楽を再現する音声再生回路３５と、音声再生回路３５からの伴奏音楽とマイクロフォン４３から入力した音声とをミキシングしてスピーカ４１へと出力するミキサアンプ３８と、カラオケ曲データ中の歌詞情報および背景映像情報から歌詞テロップおよび背景映像を再現する画面表示制御装置２６と、利用者がカラオケ端末１０に対する指示を入力するための指示入力手段としての操作パネル４５とを備え、これらが周知のＣＰＵ，ＲＯＭ，ＲＡＭ等によって構成される制御手段としての中央制御装置３１によって制御され、ハードディスク３３から入力したカラオケ曲データに基づいて、カラオケ演奏を実行可能に構成されている。即ち、本実施例においては、中央制御装置３１が所定のカラオケ演奏プログラムに従って動作することにより、情報提供実行手段として機能する。
【００３６】
また、カラオケ端末１０は、情報通信網７を介して情報センタ３と接続する第１の通信手段としての第１通信制御装置２７と、課金通信網５を介して課金センタ１と接続する第２の通信手段としての第２通信制御装置２８とを備え、これらも中央制御装置３１によって制御されている。
【００３７】
次に、このカラオケ端末１０の機能について概略を説明する。
上記カラオケ端末１０では、ハードディスク３３に数千曲程度のカラオケ曲データを記憶しておくことができ、通常は、この記憶されたカラオケ曲データに基づいて、カラオケ演奏処理を行うことができる。また、情報センタ３から随時配信されてくる新曲データ等を受信して、ハードディスク３３に記憶させ、演奏可能な曲を順次増やしていくことができる。
【００３８】
このカラオケ端末１０でカラオケ演奏を行う際には、利用者は操作パネル４５あるいはリモコン等を操作することで歌いたい曲を選択する。すると中央制御装置３１は、所定のカラオケ演奏プログラムに従って、カラオケ演奏処理を実行する。
【００３９】
このカラオケ演奏処理を簡単に説明すると、中央制御装置３１は、選択された曲に対応する演奏情報、歌詞情報および背景映像情報をハードディスク３３から読み出し、演奏情報は音声再生回路３５に、歌詞情報および背景映像情報は画面表示制御装置２６にそれぞれ転送する。音声再生回路３５に入力される演奏情報に基づいて音声再生回路３５は、アナログの演奏信号を合成し、その後その合成された演奏信号は、ミキサアンプ３８へ送られて電気的に増幅されると共に、マイクロフォン４３を介して入力する利用者の歌声と適度な割合でミキシングされる。ミキシングされた音声信号は、スピーカ４１により演奏音として外部へ出力される。
【００４０】
一方、演奏情報と同期して出力される歌詞情報は、画面表示制御装置２６において、背景映像信号と合成（スーパーインポーズ）されてテレビモニタ２９に表示される。これにより、テレビモニタ２９には、背景映像に歌詞テロップが合成された状態で表示される。なお、テレビモニタ２９は表示手段に相当する。
【００４１】
情報センタ３は、図３に示すとおり、情報通信網７を介してカラオケ端末１０と接続する通信制御装置７７と、カラオケ端末１０に配信するカラオケ曲データを蓄積する記憶装置７３とを備え、これらが中央制御装置としてのホストコンピュータ７１によって制御されている。また、ホストコンピュータ７１には、入力装置７５、プリンタ７９、ＣＲＴ８１などの各種機器が接続されている。また、記憶装置７３には、カラオケ曲データの他に、ホストコンピュータ７１が作動するための各種制御プログラム等も記憶されている。
【００４２】
このように構成された情報センタ３は、カラオケ曲データを、情報通信網７を介して各カラオケ端末１０に対して送信可能である。この送信は、カラオケ端末１０からの配信要求に応じて行われるのであるが、配信対象情報の目録、例えば新曲データ全部の目録やその内の未配信曲の目録を送信し、その目録中からカラオケ端末１０によって指定された曲に対する曲データを情報通信網７を介して送信するように動作する。これは、曲データ配信事業者の管理する設備である。
【００４３】
次に、課金センタ１の構成及び機能について説明する。
課金センタ１は、図３に示すとおり、課金通信網５を介してカラオケ端末１０と接続する通信制御装置５７を備え、中央制御装置としてのホストコンピュータ５１によって制御されている。また、ホストコンピュータ５１には、ホストコンピュータ５１が作動するための各種制御プログラム等を記憶する記憶装置５３と、その他、入力装置５５、プリンタ５９、ＣＲＴ６１などの各種機器が接続されている。また、通信制御装置５７は、情報センタ３の通信制御装置７７と接続されており、相互に情報通信が可能とされている。
【００４４】
前記記憶装置５３には、カラオケ端末１０へ提供することができる曲データに関する情報、あるいはカラオケ端末１０に対する曲データの配信実績、曲データやの料金を記憶した料金テーブル等を格納している。この料金テーブルについて説明する。曲の料金については、例えばどの曲についても同じ料金であれば、１曲当りの基本料金が記憶されることとなる。もしも曲によって例えば新曲は高くするとか、特定のジャンルの曲については安くするというように料金に差をつける場合には、その新曲１曲についての基本料金あるいは所定ジャンルの曲１曲についての基本料金が記憶される。
【００４５】
なお、この課金センタ１も、曲データ配信事業者の設備である。したがって、上記情報センタ３と一体のホストコンピュータで構成してもよいし、別々に分かれたものとして構成してもよい。図１等に示す本実施例では、別々の場所に設置されている場合を想定している。
【００４６】
このように構成された課金センタ１は、情報センタ３からカラオケ曲データを配信するとき、詳しくは情報センタ３からカラオケ曲データを配信する前あるいは配信した後にカラオケ端末１０と接続され、配信したカラオケ曲データの料金を課金するための課金情報を課金通信網５を介して送信する。この課金情報が課金通信網５を介して送信されると、課金通信網５の課金機能により、送信先であるカラオケ端末１０に対して所定金額が課金されることとなる。
【００４７】
なお、この様な課金機能を有する課金通信網５としては、現在の日本国内では、キャプテンシステムと呼ばれるビデオテックス通信網や、ダイヤルキューツー通信網等がその代表的なものとして知られており、本実施例では、ビデオテックス通信網を想定している。課金通信網５は、本通信網を経由してデータのやり取りが行われた場合に、カラオケ端末１０が課金センタ１から配信を受けたデータの種別を、データのやり取りの途中に位置する立場から取得し、データに基づいて課金すべき金額を決定する。課金通信網５において課金された料金は、カラオケ端末１０に対する電話料金に上乗せした形で、電話事業者により代行徴収され、手数料を控除した上でデータ配信業者へと渡される。
【００４８】
以上のように構成された本実施例のシステムでは、カラオケ端末設置事業者から曲データ配信事業者への新曲データの要求、そして曲データ配信事業者からカラオケ端末設置事業者への新曲データの配信が次のようにして行われることになる。
【００４９】
まず、端末の設置事業者等がカラオケ端末１０の操作パネル４５を操作して曲データのリクエストモードにすると、新曲データを要求する処理に入るのであるが、いきなり新曲データ要求の実際の処理に入るのではなく、まず、図９に示すような料金徴収規定内容を示す画面をテレビモニタ２９に表示する。これは、新曲データの取得に関しては、無料ではなく所定の料金が必要であるため、その旨を最初に示し、端末設置事業者に通知するのである。
【００５０】
そして、単に通知するだけでなく、その後に所定の確認指示があって初めて、つまり料金が必要であることを了解した上での新曲データ要求であることを確認して初めて、カラオケ端末１０から課金通信網５を経由して課金センタ１に接続するのである。
【００５１】
続いて、自己のＩＤコード及び新曲データ目録の要求を送信する。これに対して、課金センタ１は、受信したＩＤコードによりカラオケ端末１０を特定し、当該端末への過去の配信実績と現在ホスト側に蓄積されている曲データとを照合し、未配信曲目の目録を作成する。このとき、目録は、曲のジャンル別などに作成すると一層便利である。
【００５２】
そして、この目録をカラオケ端末１０へと送信する。カラオケ端末１０では、この目録中から欲しい曲目を指定して課金センタ１へと配信要求を送信する。これにより配信すべき曲データの特定が終了し、課金センタ１では、要求された曲データに対するデータ料金の課金のためのダミーの課金情報をビデオテックス通信網を介してカラオケ端末１０へと送信する。このダミーのデータの通信実行により、カラオケ端末１０に対するビデオテックス通信システム上の課金が実行され、後日電話料金と共に端末設置者の銀行口座から引き落とされることになる。
【００５３】
この課金処理の実績（課金実績）は、課金センタ１及び課金通信網５を構成する料金徴収代行システムのそれぞれに記録される。そして、課金センタ１は、この課金実績を情報センタ３に転送し、課金処理の完了を確認させる。情報センタ３は、課金センタ１から受信した課金実績に基づいて、該当するカラオケ端末１０をコールし、該端末へ課金の完了した曲データを配信する。また、電話事業者側は記録した課金実績に基づいて、カラオケ端末設置事業者から代行徴収したデータ料金の中から手数料を控除した残りを課金センタ１の設置者である曲データ配信事業者に渡すことになる。
【００５４】
以上のような機能を達成するための具体的処理の内容について、カラオケ端末１０の中央制御装置３１、情報センタ３及び課金センタ１の各ホストコンピュータ７１，５１の実行する制御処理を説明する。
まず、カラオケ端末１０の作動を図４のフローチャートに基づいて説明する。
【００５５】
電源が投入されると、このメインルーチンが実行開始される。まず、最初のステップＳ１にて、通信制御装置２７，２８のリセット等の装置全体の初期化を行う。次に、Ｓ２では、カラオケ端末１０の動作指定として、カラオケ演奏モードが指定されたか否かをチェックする。カラオケ端末設置事業者によってカラオケ演奏モードの指定があればＳ３へ移行し、同指定がなければＳ４へ移行する。
【００５６】
Ｓ３では、操作パネル４５で選曲された曲データをハードディスク３３から読み出し、音声再生回路３５や画面表示制御装置２６にて音声信号及び字幕表示に変換することを内容とするカラオケ演奏処理を行うためサブルーチンをコールする。このカラオケ演奏処理の具体的な内容を簡単に説明しておく。テレビモニタ２９の画面に「選曲してください」といった選曲を促すメッセージを表示させ、曲のリクエストがあればそのリクエストされた曲の曲データをハードディスク３３から読み出し、その読み出した曲データを音声再生装置３５及び画面表示制御装置２６にて、音声信号及び字幕表示に変換してカラオケ演奏を行う。このカラオケ演奏の詳細は上述したのでここでの説明は省略するが、１曲分の演奏が完了したら上記選曲を促すメッセージを再度表示させる。なお、カラオケ端末１０における一動作モードであるカラオケ演奏モードの解除の指定があればＳ３の処理を終了してＳ４へ移行する。
【００５７】
Ｓ４では、カラオケ端末１０の動作指定として、カラオケ端末設置事業者によって曲データリクエストモードが指定されたか否かをチェックする。なお、この曲データリクエストモードの指定は、操作パネル４５を介して所定のキーを操作することで指定できる。曲データリクエストモードの指定があればＳ５へ移行し、同指定がなければＳ６へ移行する。
【００５８】
Ｓ５では、サブルーチンをコールして曲データリクエスト処理を行う。この曲データリクエスト処理を図５のフローチャートに基づいて説明する。
曲データリクエスト処理の最初のステップＳ１０では、料金徴収規定内容の表示を行なうのであるが、これは例えば図９に示すような内容をテレビモニタ２９に表示して行なう。その内容は、新曲データの配信を受けるためには別途料金が必要であることと、その料金は現在使用している電話番号での電話料金に上乗せされて請求されることを告知して、その内容を確認した上で新曲の配信を希望する場合には「選曲キー」を押下し、希望しない場合には「取消キー」を押下することを端末設置事業者に促すものである。
【００５９】
したがって、端末設置事業者は、この新曲の配信が有料であることを知らなかった場合に次の２つの選択ができる。１つは、それが有料であることを了解した上でやはり配信を希望するのであれば「選曲キー」を押下すればよい。また、もう１つは、有料ならば配信してもらわなくてもよいと考えるのであれば、「取消キー」を押下すればよいのである。
【００６０】
したがって、Ｓ１１では「選曲キー」が押下されて確認指示がされたか否かを、Ｓ１２では、「取消キー」が押下されて新曲配信モード自体の取消がされたか否かを判断するのである。
「選曲キー」が押下されて確認指示がされた場合には（Ｓ１１：ＹＥＳ）、Ｓ１３へ移行するが、「取消キー」が押下されて新曲配信モード自体の取消がされた場合には（Ｓ１２：ＹＥＳ）、Ｓ１３以降の処理を実行することなく本ルーチンを終了して、図２のＳ６へリターンする。
【００６１】
Ｓ１３では、課金センタ１と接続する。カラオケ端末１０は、第２通信制御装置２８を介して課金通信網５と接続し、この課金通信網５を介して課金センタ１と接続する。課金センタ１との接続処理終了後、Ｓ１４へ移行する。
Ｓ１４では、課金センタ１から曲メニュー情報を受信する。この曲メニュー情報は、上述したように過去の配信実績とセンタ側に蓄積されている曲データとの関係から課金センタ１で自動作成されるものであって、システム中に存在する各端末毎の未配信曲の目録である。カラオケ端末１０は、この曲メニュー情報の受信完了後にＳ１５へ移行する。
【００６２】
Ｓ１５では、Ｓ１４で受信した曲メニュー情報を解読し、必要な曲データの配信要求を意味するようにメニュー選択が実行されたか否かを判断する。これは、例えばテレビモニタ２９にその曲メニュー情報を表示して、カラオケ端末設置事業者が操作パネル４５を操作することで選択がなされる。そして、選択が終了すると（Ｓ１５：ＹＥＳ）、Ｓ１６へ移行する。
【００６３】
Ｓ１６では、曲メニュー選択情報を課金センタ１に対して送信する。このＳ１６における曲メニュー選択情報の送信処理の完了後、Ｓ１７へ移行する。
Ｓ１７では、曲メニュー選択情報に対する応答として、課金センタ１から送信される課金情報を受信してハードディスク３３へ記録する。このハードディスク３３への記録が完了したら、Ｓ１８へ移行し、課金センタ１との接続解除処理を行う。
【００６４】
こうして曲データリクエスト処理が完了すると、図２のフローチャートのＳ６へ移行する。
Ｓ６では、情報センタ３からの接続要求が発生しているか否かをチェックする。発生していればＳ７へ移行し、そうでなければＳ２へ移行する。
【００６５】
Ｓ７では、情報センタ３からの曲データの配信を受信してハードディスク３３へ記録し、さらに課金センタ１から課金情報を受信する処理を行うためにサブルーチンをコールする。この曲データ受信処理を図６のフローチャートに基づいて説明する。
【００６６】
曲データ受信処理の最初のステップＳ３０では、情報センタ３からの呼出しに応答して接続を行う。接続完了後、Ｓ３１へ移行し、情報センタ３から送信される曲データの受信し、その受信した曲データを内蔵するハードディスク３３へセーブする。
【００６７】
そして、曲データ受信・セーブ処理完了後、Ｓ３２へ移行し、情報センタ３との接続を解除する。
Ｓ３２での接続解除の完了後、このサブルーチンを終了して、図２のフローチャートのＳ２のステップへ戻り、電源オフとされるまでの間、Ｓ２以下の処理を繰り返し実行する。
【００６８】
以上がカラオケ端末１０のＣＰＵ３１の作動であり、カラオケ演奏、配信してもらいたい曲データのリクエスト、及び配信された曲データの受信の各処理を行う。
次に、情報センタ３の作動を図７のフローチャートを基に説明する。
【００６９】
情報センタ３では、電源投入後Ｓ４０のステップから実行する。
Ｓ４０では、通信制御装置７７のリセット等の装置全体の初期化を行う。Ｓ４０の処理を終了後、Ｓ４１へ移行する。
Ｓ４１では、課金センタ１からの接続要求があるかどうか調べる。あればＳ４２へ移行し、なければＳ４１の処理を繰り返す。
【００７０】
Ｓ４２では、課金センタ１からの接続要求に対して同課金センタ１との接続を行う。接続完了後、Ｓ４３へ移行する。
Ｓ４３では、課金センタ１から曲データ配信要求情報を受信する。曲データ配信要求情報とは、カラオケ端末１０が課金センタ１に課金通信網５を経由して接続し、課金情報を購入したことに関する情報のことで、具体的には複数のカラオケ端末が存在する場合のどのカラオケ端末が課金情報を購入し、又どの曲データを購入したか、といったことの情報である。情報センタ３は、課金センタ１からのこの情報を基にして、該当するカラオケ端末１０へ購入した課金情報に対応する曲データを配信する処理を行っている。
【００７１】
Ｓ４３での曲データ配信要求情報の受信完了後、Ｓ４４へ移行する。Ｓ４４では、課金センタ１との接続を解除する。接続解除完了後、Ｓ４５へ移行する。
Ｓ４５では、曲データの配信が必要かどうかを判断し、必要な場合には、Ｓ４６へ移行し、必要でない場合にはＳ４１へ移行する。この曲データの配信が必要かどうかは、上記Ｓ４３で曲データ配信要求情報を受信したかどうかで判断される。
【００７２】
Ｓ４６では、Ｓ４３で受信した曲データ配信要求情報を参照し、曲データ配信要求を行ったカラオケ端末１０を情報通信網７を経由して呼び出す。同処理完了後、Ｓ４７へ移行する。
Ｓ４７では、Ｓ４３で受信した曲データ配信要求情報を参照し、接続したカラオケ端末１０が購入した課金情報に対応する曲データを配信する。曲データ配信完了後、Ｓ４８へ移行する。
【００７３】
Ｓ４８では、接続中のカラオケ端末１０との接続を解除する。接続解除完了後、Ｓ４１へ移行する、
以上が情報センタ３のホストコンピュータ７１の作動であり、課金センタ１から曲データ配信要求情報を受け取り、その内容を参照した上で、課金センタ１から課金情報を購入したカラオケ端末１０に対して、購入した課金情報に対応する曲データを送信する処理を行う。
【００７４】
次に、課金センタ１の作動を図８のフローチャートに基づいて説明する。課金センタ１では、電源投入後、Ｓ６０のステップから実行する。
Ｓ６０では、通信制御装置５７のリセット等の装置全体の初期化を行う。そして、Ｓ６１へ移行し、カラオケ端末１０から接続要求があるかどうかを調べる。あればＳ６２へ移行し、なければＳ６１の処理を繰り返し、待機状態となる。
【００７５】
Ｓ６２では、カラオケ端末１０からの接続要求に対して当該カラオケ端末１０との接続を行う。接続完了後、Ｓ６３へ移行する。
Ｓ６３では、曲メニュー情報の送信を行なう。詳しくは、図４のＳ５に示す曲データリクエスト処理による場合には、当該カラオケ端末１０に対して未配信となっている曲データの一覧である曲メニュー情報を送信する。
【００７６】
この送信処理完了後、Ｓ６４へ移行し、カラオケ端末１０からの応答である曲メニュー選択情報を受信する。
この曲メニュー選択情報の受信完了後、Ｓ６５へ移行し、メニュー選択情報に基づいて選択された曲データを特定し、特定された曲データに対するデータ料の課金実行のためのダミーのデータを送信する。この課金情報はダミーのデータであるから、カラオケ端末１０にとっては意味のないデータであるが、課金センタ１及び料金徴収代行システムを備える課金通信網５にとっては、どのカラオケ端末１０にどの曲データについて課金が実行されたのかを判別するための情報として大切な意味を有する。課金センタ１は、この課金情報を課金実績として記録する。カラオケ端末１０と課金センタ１との間の課金通信網５を構成する料金徴収代行システムは、この課金情報に基づいて、該当するカラオケ端末１０の設置事業者に対して電話料金に上乗せした格好で情報料の徴収を行うのである。
【００７７】
こうして課金情報の送信が完了したら、Ｓ６６へ移行し、カラオケ端末１０との接続を解除する。接続解除処理が完了後、Ｓ６７へ移行し、Ｓ６２〜Ｓ６４の処理の結果である課金実績を曲データ配信要求情報として記憶装置５３に記録する。また、記憶装置５３内の配信実績への追加も実行する。この処理終了後、Ｓ６８へ移行する。
【００７８】
Ｓ６８では、情報センタ３を公衆回線経由で呼び出し、データ転送を行うための接続を行う。接続処理完了後、Ｓ６９へ移行し、Ｓ６７で記憶装置５３に記録した曲データ配信要求情報を情報センタ３へ送信する。この送信処理の完了後、Ｓ７０へ移行し、情報センタ３との接続を解除する。接続解除処理完了後、Ｓ６１へ移行し、上記の処理を繰り返す。
【００７９】
以上が課金センタ１のホストコンピュータ５１の作動であり、カラオケ端末１０から課金通信網５を経由した接続要求に対して接続を行い、指定された曲データに対応する課金情報を送信すると共に課金実績を記録し、これを情報センタ３に受け渡すことによって要求された曲データをカラオケ端末１０に配信させるのである。
【００８０】
最後に、電話事業者側設備である課金通信網５を構成する料金徴収代行システムの機能について説明する。カラオケ端末１０と課金センタ１とは、この課金通信網５を構成する料金徴収代行システムを経由して、データのやり取りを行う。このとき料金徴収代行システムは、どのカラオケ端末１０にいくらの課金を行なうかの情報を、データのやり取りの途中に位置する立場から取得する。
【００８１】
電話事業者は、この取得した金額を、カラオケ端末１０の所有者であるカラオケ端末設置事業者に対する電話料金請求時にこれに上乗せする形で徴収し、情報提供者である曲データ配信事業者へと渡すサービスを行っている。これ自体は、ＮＴＴで行っているビデオテックスとしてよく知られている。
【００８２】
以上説明したことから明らかなように、本実施例の通信カラオケシステムによれば、カラオケ端末１０において、カラオケ端末設置事業者が操作パネル４５を操作して曲データリクエストモードにすると、まず、図９に示すような料金徴収規定内容の表示をテレビモニタ２９にて行なう。その内容は、新曲データの配信を受けるためには別途料金が必要であることと、その料金は現在使用している電話番号での電話料金に上乗せされて請求されることを告知して、その内容を確認した上で新曲の配信を希望する場合には「選曲キー」を押下し、希望しない場合には「取消キー」を押下することを促すものである。
【００８３】
したがって、端末設置事業者は、この新曲の配信が有料であることを知らなかった場合に次の２つの選択ができる。１つは、それが有料であることを了解した上でやはり配信を希望するのであれば「選曲キー」を押下すればよい。また、もう１つは、有料ならば配信してもらわなくてもよいと考えるのであれば、「取消キー」を押下すればよいのである。
【００８４】
そして、選曲キーが押下されて確認指示があって初めて、つまり料金が必要であることを了解した上での新曲データ要求であることを確認して初めて、課金センタ１に接続して課金情報を受信し、情報センタ３からの曲データの受信を行なうのである。このカラオケ端末１０への曲データの配信料の徴収については電話事業者による代行サービスを利用することができ、これらのことから曲データ配信事業者の負担を軽減することができる。
【００８５】
このように、課金通信網５を利用することで、端末設置事業者にとっても直接金銭を支払ったり、あるいはクレジットカード等を使用したりすることがないので、料金徴収の面では便利となるが、その直接金銭を支払ったりしないことが逆に、自分の行っている操作が将来料金徴収されるものであることを意識せず、後日、実際に料金徴収されて、その徴収内容に不審感を抱いたり、あるいは自分の知らない間に勝手に課金されてしまったことに不満が残るといった、料金支払者と徴収者との間でのトラブルの原因ともなる可能性もある。つまり、上述の例では、新曲の配信が有料であることを知らずに配信要求をしてしまい、後になって料金が徴収されていたことを初めて知るといったような事態である。
【００８６】
上記実施例では、その有料である新曲の配信が開始される前に、有料であることを表示し、端末設置事業者による確認があってはじめてその処理が実行されるようにしてあるため、料金徴収側と支払側とのトラブルを未然に防止することができる。
【００８７】
また、上記実施例では、単に新曲データの配信を要求するだけでなく、図５のＳ１４〜Ｓ１６等に示すように、課金センタ１から曲メニュー情報を受信して例えばテレビモニタ２９に表示し、カラオケ端末設置事業者が操作パネル４５を操作して選択した曲メニュー選択情報を課金センタ１に対して送信している。したがって、この選択された曲だけが情報センタ３から配信されることとなる。
【００８８】
この曲メニュー情報を表示して選択を促す点も、本発明における料金徴収を伴う情報提供端末の利用に関する規定内容の表示に相当する。つまり、情報センタ３から配信可能な曲であって未配信である曲は、カラオケ端末１０毎によって異なる可能性がある。例えば、曲データリクエストを長期間実行していなかった場合等には、そのカラオケ端末１０にとっての未配信の新曲データが何十曲あるいは何百曲とあることも考えられる。その場合に、単に新曲データの配信を要求すると、一度に高額の課金がされてしまうことも考えられる。そして、その何十曲あるいは何百曲にわたる未配信の新曲データであっても、その時点では不要な曲もある。
【００８９】
したがって、まず曲メニュー情報を表示し、選択されたもの、つまり料金の支払を了解した上で配信要求をしたものについてのみ配信し、その料金を徴収するようにすれば、金銭的なトラブルを未然に防止することができる。この点を考慮すると、曲メニュー情報を表示する際に料金情報も併せて表示することが好ましい。すなわち、未配信の新曲データを全て配信してもらうための合計の料金を表示したり、１曲の単価を表示したりするのである。例えば、曲メニュー情報の各曲について１曲ずつ必要か不要かを判断しなくても、合計の料金を見てこの程度の料金なら全曲配信を希望するといった判断がされることもある。また、合計の料金を見て高額すぎるので、全曲配信は希望せず、やはり曲メニュー情報の各曲について１曲ずつ必要か不要かを判断して、選択した曲だけの配信を希望するという判断がされることもある。
【００９０】
このように、配信を希望する曲数等によっても料金が異なってくるので、金銭的なトラブルを避ける意味でも、その料金情報を表示し、その料金情報を考慮した選択がなされるようにすることは好ましい。
なお、本実施例を通信シーケンス図で示すと、図１０〜図１２のようになる。
【００９１】
図１０は、カラオケ端末１０と課金センタ１との間での通信シーケンスを示しており、まず、カラオケ端末１０が課金通信網５を介して課金センタ１に対して発呼し、接続できた後にパスワードを送信する。
課金センタ１ではこのパスワードに基づいて端末照合を行い、通信カラオケシステム内のものとして登録されている端末であれば、照合正常の旨を返送する。
【００９２】
カラオケ端末１０はこの照合正常を受信して課金センタ１が受付可能状態となって後に、新曲データの有無を問い合わせる。
課金センタ１では、この問い合わせを受け付けて当該カラオケ端末に対する新曲データを検索し、問い合わせの回答をカラオケ端末１０に送信する。つまり、新曲データが有るか無いかを示す回答、そして該当する新曲データあれば、その曲メニュー情報を送信する。
【００９３】
カラオケ端末１０では、この回答結果に基づいて新曲データが有るか無いか判断し、新曲データが有る場合には曲メニュー情報から所定の曲を選択して、課金センタ１に対して新曲データの購入申込に相当する要求を送信する。
課金センタ１は、この要求に応じて購入価格に相当する料金を課金するためのダミーのデータをカラオケ端末１０に向けて送信する。これを受けてカラオケ端末１０は課金センタ１との接続を切断する。
【００９４】
以上の処理が終了すると、課金センタ１と情報センタ３との間で図１１に示す通信が実行され、まず、課金センタ１が公衆回線を介して情報センタ３に発呼・接続し、曲データの配信要求を送信する。情報センタ３は、この要求を受信したら、受信完了を返信する。これを受けて、課金センタ１は情報センタ３との接続を切断する。
【００９５】
以上の処理が終了すると、今度は情報センタ３とカラオケ端末１０との間で図１２に示す通信が実行され、まず、情報センタ３が情報通信網７を介してカラオケ端末１０に発呼・接続し、配信要求により特定された新曲データを送信する。そして、カラオケ端末１０からの受信完了を受けて、接続を切断する。
【００９６】
こうして、「カラオケ端末１０」→「課金センタ１」→「情報センタ３」→「カラオケ端末１０」という順番で通信が受け渡され、新曲データの有料配信が実行されている。
次に、第２実施例について説明する。第２実施例は、本発明の情報提供端末を用いる情報料課金システムをゲームシステムに適用した場合の例である。
【００９７】
本ゲームシステムは、図１３，１４に示すように、内蔵するＣＤ−ＲＯＭ１３３に記憶されたゲームソフトを用いて、ゲームを実行可能なゲーム端末１３０と、ゲーム端末１３０とは課金機能を有する課金通信網１２０を介して接続され、ゲーム端末１３０に対し課金情報を送信することにより、当該ゲーム端末１３０に対する課金を実行可能な課金センタ１１０とを備えている。この課金センタ１１０には、複数のゲーム端末１３０が、課金通信網１２０を介して接続されている。なお、この課金通信網１２０は、第１実施例と同様に、ビデオテックス通信網を想定している。
【００９８】
ゲーム端末１３０は、図１４に示すように、数種類のゲームソフトを記憶する情報記憶手段としてのＣＤ−ＲＯＭ１３３を備え、ゲームをする際に利用者が操作するジョイスティック１３８が接続されるキー入力装置１３５と、ゲーム画面をテレビモニタ１３９に出力するための画面表示制御装置１３６とを備え、これらが周知のＣＰＵ，ＲＯＭ，ＲＡＭ等によって構成される中央制御装置１３１によって制御され、ゲームを実行可能に構成されている。即ち、中央制御装置１３１がＣＤ−ＲＯＭ１３３から入力したゲームソフトに従って動作することにより、情報提供実行手段として機能する。
【００９９】
また、ゲーム端末１３０は、課金通信網１２０を介して課金センタ１１０と接続する第２の通信手段としての通信制御装置１３７を備え、これも中央制御装置１３１によって制御されている。
本第２実施例の場合には、ＣＤ−ＲＯＭ１３３に格納されたゲームソフトは、それぞれ時間当りの使用料が設定されており、ゲーム端末１３０では、ゲームの実施時間を計測してその使用料を算出する処理が実行される。また、ゲーム端末１３０の中央制御装置１３１は、課金処理要求手段としても機能し、通信制御装置１３７を介して課金要求情報を課金センタ１１０に対して送信する処理も実行する。具体的には、ゲームの実施毎に、課金要求処理が実行されるよう設定されており、その際、所定の金額が課金要求情報として課金センタ１１０へと通知され、課金センタ１からは当該金額に見合った課金情報が送信されることとなる。
【０１００】
なお、課金センタ１１０および課金通信網１２０は、第１実施例と同様の構成なので、ここでは説明を省略する。
この第２実施例においては、ゲームを実施する前に、図９に示した料金徴収規定内容に似た内容をテレビモニタ１３９に表示する。すなわち、このゲームを実施例するためには別途料金が必要であることと、その料金は現在使用している電話番号での電話料金に上乗せされて請求されることを告知して、その内容を確認した上で新曲の配信を希望する場合には「実行キー」を押下し、希望しない場合には「取消キー」を押下することを促すものである。
【０１０１】
したがって、利用者は、このゲームが有料であることを知らなかった場合に次の２つの選択ができる。１つは、それが有料であることを了解した上でやはり実行したいのであれば「実行キー」を押下すればよい。また、もう１つは、有料ならば実行しないと考えるのであれば、「取消キー」を押下すればよいのである。
【０１０２】
この場合でも、自分の行っている操作が将来料金徴収されるものであることを意識せず、後日、実際に料金徴収されて、その徴収内容に不審感を抱いたり、あるいは自分の知らない間に勝手に課金されてしまったことに不満が残るといった、料金支払者と徴収者との間でのトラブルの原因ともなる可能性もあるため、有料であるゲームの実施が開始される前に、有料であることを表示し、利用者による確認があってはじめてその処理が実行されるようにしてあるため、料金徴収側と支払側とのトラブルを未然に防止することができる。
【０１０３】
特に、無料のゲームと有料のゲームとが混在しているような場合には、無料のゲームのつもりでいたら、後日料金が請求されていたということが生じ易いので、もちろん、どのゲームが無料でどのゲームが有料であるかを、例えば説明書等に記載しておくことも必要であるが、ゲームの実施が開始される前に、有料であることを表示し、利用者による確認があってはじめてその処理が実行されるようにしておけば確実である。
【０１０４】
以上、本発明の情報提供端末について、これを用いる２つの情報通信システムに基づく実施例を挙げて説明したが、本発明はこれに限定されず、本発明の要旨を逸脱しない範囲内の種々なる態様を採用することができる。例えば、上記第１実施例では、カラオケ曲の配信が有料であるとしたが、曲の配信は自動的に行われるようにし、第２実施例の場合のように、カラオケ演奏を指示する毎に、つまり１曲の演奏代金として料金がその都度必要なシステムに使用するとしてもよい。
【０１０５】
また、上記第１実施例では曲データの配信に関する料金徴収規定、第２実施例では情報提供サービスとしてのゲームの実施に関する料金徴収規定をそれぞれ表示するようにしたが、表示するものは、これらに限らず、料金徴収を伴うカラオケ端末１０の利用あるいはゲーム端末１３０の利用に関する規定の内容をも表示するとよい。
【図面の簡単な説明】
【図１】第１実施例の通信カラオケシステムの概略構成図である。
【図２】第１実施例のシステムの構成要素であるカラオケ端末の構成を示すブロック図である。
【図３】第１実施例のシステムの構成要素である情報センタ及び課金センタの構成を示すブロック図である。
【図４】第１実施例のカラオケ端末におけるメイン処理を示すフローチャートである。
【図５】第１実施例のカラオケ端末における曲データリクエスト処理を示すフローチャートである。
【図６】第１実施例のカラオケ端末における曲データ受信処理を示すフローチャートである。
【図７】第１実施例の情報センタにおけるメイン処理を示すフローチャートである。
【図８】第１実施例の課金センタにおけるメイン処理の前半を示すフローチャートである。
【図９】第１実施例のカラオケ端末のテレビモニタに表示される料金徴収規定内容の一例を示す説明図である。
【図１０】第１実施例における通信シーケンス図である。
【図１１】第１実施例における通信シーケンス図である。
【図１２】第１実施例における通信シーケンス図である。
【図１３】第２実施例のゲームシステムの概略構成図である。
【図１４】第２実施例のシステムの構成要素であるゲーム端末の構成を示すブロック図である。
【符号の説明】
１…課金センタ          ３…情報センタ          ５…課金通信網
７…情報通信網        １０…カラオケ端末      ２６…画面表示制御装置
２７…第１通信制御装置  ２８…第２通信制御装置  ２９…テレビモニタ
３１…中央制御装置      ３３…ハードディスク    ３５…音声再生回路
３８…ミキサアンプ      ４１…スピーカ          ４３…マイクロフォン
４５…操作パネル
５１，７１…ホストコンピュータ      ５３，７３…記憶装置
５５，７５…入力装置                ５７，７７…通信制御装置
５９，７９…プリンタ
１１０…課金センタ    １２０…課金通信網      １３０…ゲーム端末
１３１…中央制御装置  １３５…キー入力装置    １３６…画面表示制御装置
１３７…通信制御装置  １３８…ジョイスティック  １３９…テレビモニタ
【図１】
0003566782.tif 000002
【図２】
0003566782.tif 000003
【図３】
0003566782.tif 000004
【図４】
0003566782.tif 000005
【図５】
0003566782.tif 000006
【図６】
0003566782.tif 000007
【図７】
0003566782.tif 000008
【図８】
0003566782.tif 000009
【図９】
0003566782.tif 000010
【図１０】
0003566782.tif 000011
【図１１】
0003566782.tif 000012
【図１２】
0003566782.tif 000013
【図１３】
0003566782.tif 000014
【図１４】
0003566782.tif 000015